(57)【特許請求の範囲】
【請求項１】
屋外に設けられ、筐体内で無線信号の送受をつかさどる屋外小型基地局装置において、
前記筐体の受熱プレート上に一定間隔をおいて一方の受熱面側を前記筐体内部に、他方の放熱面側を前記筐体外部の外気に露出するようにそれぞれ突出させて取り付けて、かつ前記筐体内の最大発熱源の反対方向に設置し、受熱面側で受けた熱を放熱面側へと循環させて自然空冷による伝導放熱を行う螺旋状の放熱フィンと、
前記筐体に設置させるモジュールに取り付けられたモジュール側コネクタの位置決めを行うコネクタ位置決めガイドと、前記コネクタ位置決めガイドを支持するガイド支持金具と、からなるモジュール取り付け部と、
を有することを特徴とする屋外小型基地局装置。
【請求項２】
前記放熱フィンは、細管のヒートパイプが内蔵されたヒートプレートであることを特徴とする請求項１記載の放熱装置。
【請求項３】
前記コネクタ位置決めガイドは、前記モジュール側コネクタと接続される取り付け装置側コネクタと、前記モジュールを前記筐体内で移動させるスライドピンと、前記モジュールを支持するストッパと、から構成されることを特徴とする請求項１記載の屋外小型基地局装置。
【請求項４】
前記ガイド支持金具は、前記取り付け装置側コネクタが挿通するコネクタ孔と、前記スライドピンが挿通するスライド孔と、前記ストッパが挿通するストッパ孔と、前記コネクタ位置決めガイドを一定方向へ摺動させるスライドガイドレールと、から構成され前記筐体に固定されることを特徴とする請求項３記載の屋外小型基地局装置。
【請求項５】
前記コネクタ位置決めガイドの下面と、前記ガイド支持金具の下面とにフックを設け、前記フックに引張りバネを取り付けて、前記モジュールが前記ガイド支持金具上を前記コネクタ位置決めガイドと一緒に可動して、前記モジュール側コネクタと前記取り付け装置側コネクタとが接続可能な位置関係になるように、前記コネクタ位置決めガイドを往復摺動させることを特徴とする請求項３記載の屋外小型基地局装置。
【請求項６】
前記モジュール側コネクタと前記取り付け装置側コネクタとは、プラグイン式コネクタであることを特徴とする請求項３記載の屋外小型基地局装置。
【請求項７】
前記コネクタ位置決めガイドは、前記スライドガイドレールに接する部分に凸状のテフロンボスが設けられ、前記スライドガイドレールには、前記テフロンボスを嵌入させるための凹溝が設けられていることを特徴とする請求項４記載の屋外小型基地局装置。
【発明の詳細な説明】
【０００１】
【発明の属する技術分野】
本発明は屋外小型基地局装置に関し、特に屋外に設けられ、筐体内で無線信号の送受をつかさどる屋外小型基地局装置に関する。
【０００２】
【従来の技術】
現在、移動端末装置の加入者が急増しており、これを中継する基地局も増大している。基地局の増設に伴い、設置場所や設置コスト等の問題から屋外設置の小型基地局が求められている。この屋外小型基地局は無人局であるため、放熱などに関する構造上の対策が十分行われる必要がある。
【０００３】
放熱対策としては、通常の基地局はシェルター内に実装され、エアコン等で冷却されていた。一方、屋外小型基地局では同一ゾーンに対して増設されるので送信出力は小さくて済み、このため自然空冷が行われていた。
【０００４】
【発明が解決しようとする課題】
しかし、屋外小型基地局の自然空冷は放熱フィンを単に外部に突出させただけの構造であった。このため、放熱が十分行われず装置内部に熱がこもり、誤動作や故障の原因となっていた。
【０００５】
また、屋外小型基地局の送信信号の増幅器は定期的に交換される必要があるが、外付けではなく内部に取り付けられているために交換作業が容易でなかった。
本発明はこのような点に鑑みてなされたものであり、放熱効果の高い屋外小型基地局装置を提供することを目的とする。
【０００６】
さらに、本発明の他の目的は、増幅器の交換作業を容易に行える屋外小型基地局装置を提供することにある。
【０００７】
【課題を解決するための手段】
本発明では上記課題を解決するために、図１に示すように筐体６０内の最大発熱源４０の反対方向に設置された螺旋状の放熱フィン１１を有する屋外小型基地局装置が提供される。
【０００８】
ここで、放熱フィン１１は、筐体６０の受熱プレート上に一定間隔をおいて一方の受熱面側を筐体６０内部に、他方の放熱面側を筐体６０外部の外気に露出するようにそれぞれ突出させて取り付けて、かつ筐体６０内の最大発熱源４０の反対方向に設置し、受熱面側で受けた熱を放熱面側へと循環させて自然空冷による伝導放熱を行う螺旋状の放熱フィンである。
また、図２に示すようにモジュールに設置されたモジュール側コネクタ４１の位置決めを行うコネクタ位置決めガイド２０と、コネクタ位置決めガイド２０を支持するガイド支持金具３０と、からなるモジュール取り付け部を有する屋外小型基地局装置が提供される。
【０００９】
ここで、コネクタ位置決めガイド２０は、モジュール側コネクタ４１がコネクタ接続するように位置決めを行う。ガイド支持金具３０は筐体に固定され、コネクタ位置決めガイド２０を支持する。
【００１０】
【発明の実施の形態】
以下、本発明の実施の形態を図面に基づいて説明する。図１は、屋外小型基地局装置の原理図である。屋外小型基地局装置内部で熱の対流が生じる様子を示している。屋外小型基地局装置の筐体６０内部には、プリント板ユニット５５ａ〜５５ｎが収納されているユニット搭載シェルフ５０と、モジュール４０と、放熱フィンカバー１３で覆われた螺旋状の放熱フィン１１と、が設置されている。また、モジュール４０には通常の放熱用フィン４３が取り付けられている。
【００１１】
ここで、本実施例でのモジュールは、無線送信信号を増幅する増幅器に該当するため、以降はモジュールを増幅器として説明する。
次に、屋外小型基地局装置内部で熱の対流が生じ、放熱される様子について説明する。本発明の屋外小型基地局装置では、外気への熱抵抗が最小となる螺旋状の放熱フィン１１を最大の熱源である増幅器４０の反対方向に取り付けている。
【００１２】
すると、増幅器４０及びプリント板ユニット５５ａ〜５５ｎから発生した熱が図の矢印のように対流を起こす。そして、熱は筐体６０内部を対流しながら増幅器４０に取り付けられた通常の放熱用フィン４３と螺旋状の放熱フィン１１とから効率的に放熱される。したがって、このような放熱構造にすることにより、放熱効果の高い屋外小型基地局装置が可能となる。
【００１３】
図２は、屋外小型基地局の筐体に放熱フィン、増幅器取り付け部及びユニット搭載シェルフが取り付けられる様子を示す図である。屋外小型基地局の筐体６０には増幅器取り付け部のガイド支持金具３０と、ユニット搭載シェルフ５０を取り付けるレール金具６１ａ、６１ｂと、ユニット搭載シェルフ５０のバックボードコネクタ５４と接続されるシェルフユニットプラグインコネクタ６２とが設置される。このシェルフユニットプラグインコネクタ６２は筐体６０の外側でケーブルを介して後述するコネクタ２４と接続される。
【００１４】
一方、ユニット搭載シェルフ５０は、バックボード５１と、バックボード５１に取り付けられたバックボードコネクタ５４とを持つ。そして、ユニット搭載シェルフ５０にプリント板ユニット５５ａ、５５ｂ・・・が挿入セットされた後、筐体６０にユニット搭載シェルフ５０がセットされる。そして、ユニット搭載シェルフ５０は、雨水などが入らないように防水用のＯリング５２が取り付けられたカバー６２で筐体６０にネジ止めされる。
【００１５】
また、筐体６０には増幅器４０が取り付けられる。この増幅器４０にはＯリング４２が取り付けられた通常の放熱用フィン４３が取り付けられる。そして、増幅器４０は放熱用フィン４３を介して筐体６０にネジ止めされる。
【００１６】
さらに、増幅器４０と反対方向に螺旋状の放熱フィンが取り付けられる。受熱プレート１０には放熱フィンの日除け及び保護のための放熱フィンカバー１３が取り付けられている。そして、防水用のＯリング１２が取り付けられた受熱プレート１０が筐体６０とネジ止めされる。
【００１７】
次に、放熱フィンについて詳しく説明する。図３は放熱フィンの正面図であり、図４は、放熱フィンの平面図である。受熱プレート１０に放熱フィン１１が取り付けられている。この放熱フィン１１は螺旋上構造をしている。そして、筐体内部からの熱を受ける受熱プレート１０を境に放熱フィン１１の一方を受熱面側に突出させている。また、放熱フィン１１の他方は受熱プレート１０の外気に露出される放熱面側に突出させている。また、図４では、複数の放熱フィン１１が一定間隔をおいて受熱プレート１０に取り付けられている様子が示されている。さらに、放熱フィン１１は板状のヒートプレートであって、図には示していないが、細管のヒートパイプが内蔵されている。
【００１８】
ヒートパイプ内にはＰＡＦＴ推奨のＨＦＣ−１３４ａなどの液体が詰められており、加熱されることによって液体が蒸気になって他方に流れていき、そこで放熱して液体となり再び加熱部に戻るようになっている。したがって、放熱フィン１１は螺旋形状であるため、受熱面側で受けた熱が放熱面側へと効果的に循環するので、効率よく放熱される。
【００１９】
図５は、放熱フィンを取り外した場合の受熱プレートを示す図である。受熱プレート１０上に放熱フィン１１が貫通するための貫通孔が各行、各列一定間隔をおいてあけられている。このような貫通孔に対し放熱フィン１１は、例えば紙面の下方から上方に向かって、貫通孔１４ａに差し込まれる。そして、紙面上方に出てきた放熱フィン１１を紙面下方に向かって貫通孔１４ｂに差し込み、さらに紙面の下方に出てきた放熱フィン１１を紙面上方に向かって貫通孔１４ｂに差し込む。このようなことを貫通孔１４ｎまで繰り返して、放熱フィン１１の一方が受熱面側に、他方が放熱面側に等しく突出するように取り付ける。そして、貫通孔１５ａ〜１５ｎ、１６ａ〜１６ｎに対しても同様に行うことで、受熱プレート１０の全面に放熱フィン１１が取り付けられる。
【００２０】
以上説明したように、放熱フィンが螺旋状になるように、一方を受熱面側に他方を放熱面側にそれぞれ等しく突出させて、受熱プレート上に取り付ける構成とした。これにより受熱面側で受けた熱が効率よく放熱される。
【００２１】
次に、増幅器取り付け部について詳しく説明する。増幅器取り付け部は、増幅器に設置された増幅器側コネクタの位置決めを行うコネクタ位置決めガイドと、コネクタ位置決めガイドを支持するガイド支持金具と、コネクタ位置決めガイドの往復摺動を可能とする引張バネとから構成される。
【００２２】
図６は、コネクタ位置決めガイドの斜視図である。コネクタ位置決めガイド２０は、増幅器に設置された増幅器側コネクタと接続される取り付け装置側コネクタ２２と、増幅器を筐体内で移動させるスライドピン２５ａ、２５ｂと、増幅器を支持するストッパ２１と、から構成される。
【００２３】
図７は、コネクタ位置決めガイドとガイド支持金具とからなる増幅器取り付け部の斜視図である。図８は、図７の斜視図をＸ方向からみた図である。ガイド支持金具３０は、スライドピン２５ａ、２５ｂが挿通するスライド孔３３ａ、３３ｂと、ストッパ２１が挿通するストッパ孔３５と、取り付け装置側コネクタ２２が挿通するコネクタ孔３６と、コネクタ位置決めガイド２０が一定方向に摺動するように設けられたスライドガイドレール３１と、ガイド支持金具３０を筐体に固定させる取り付け部３４とから構成される。そして、ブラインドナット３２ａ、３２ｂでコネクタ位置決めガイド２０とガイド支持金具３０とがとめられている。
【００２４】
また、コネクタ位置決めガイド２０には凸状のテフロンボス２６が設けてある。スライドガイドレール３１には、テフロンボス２６を嵌入させるための凹溝がコネクタ位置決めガイド２０が摺動する方向に設けられている。よって、このようなテフロンボスを設けることにより、摺動する方向が確実に定められる。
【００２５】
図９は、図７の斜視図をＹ方向からみた図である。コネクタ位置決めガイド２０の下面には引張バネ用フック２７ａ，２７ｂがある。ガイド支持金具３０の下面にも引張バネ用フック３７ａ、３７ｂがある。そして各フックに引張バネ４１、４２が取り付けられる。このような引張バネを付けて、往復摺動を可能としている。
【００２６】
図１０は、増幅器を増幅器取り付け部に取り付ける場合の図である。まず、増幅器４０は矢印１の方向に挿入され、ストッパ２１に当たる。ストッパ２１に当たることにより増幅器側コネクタ４１と取り付け装置側コネクタ２２とが接続可能な位置関係になる。その後、増幅器４０をガイド支持金具３０上に矢印２の方向に摺動させて増幅器側コネクタ４１と取り付け装置側コネクタ２２とを接続する。また、取り付け装置側コネクタ２２にはケーブル２３で接続されたコネクタ２４が設置される。このコネクタ２４は図２で説明したシェルフユニットプラグインコネクタ６２に接続される。
【００２７】
このように増幅器４０は、ガイド支持金具３０上をコネクタ位置決めガイド２０と一緒に摺動することが可能である。このため増幅器４０の取り付け、取り出しなどの操作が容易に行える。
【００２８】
図１１は、増幅器を屋外小型基地局の筐体へ取り付ける様子を示す図である。増幅器４０をストッパ２１と接触するまで筐体６０に挿入する。ストッパ２１と接触すれば、取り付け装置側コネクタ２２と接続可能な位置関係になる。よって、接続方向へ増幅器４０を摺動させてコネクタ接続をする。そして、増幅器４０は放熱用フィン４３を介して筐体６０にネジ止めされる。
【００２９】
上記の説明では、モジュールを増幅器としたが、外部からの交換を目的とするモジュールであれば、その他の交換単位モジュールでもよい。
以上説明したように、屋外小型基地局装置に螺旋状の放熱フィンを設置する構成とした。これによりハイパワーの増幅器等の放熱を自然空冷で行うことが可能となる。
【００３０】
また、屋外小型基地局装置にモジュール取り付け部を設置する構成とした。これにより外部からの交換単位モジュールの着脱が容易に行える。
さらに、螺旋状の放熱フィンとモジュール取り付け部は、構造が簡単で付線が簡略化できるため、屋外小型基地局の組み立てが容易となり、全体の組み立て工数の削減を可能とする。
【００３１】
【発明の効果】
以上説明したように本発明の屋外小型基地局装置は、螺旋状の放熱フィンを、筐体の受熱プレート上に一定間隔をおいて一方の受熱面側を筐体内部に、他方の放熱面側を筐体外部の外気に露出するようにそれぞれ突出させて取り付けて、かつ筐体内の最大発熱源の反対方向に設置し、受熱面側で受けた熱を放熱面側へと循環させて自然空冷による伝導放熱を行う構成とした。これにより、受熱面側で受けた熱が自然空冷により効率よく伝導して放熱される。
【００３２】
また、本発明の屋外小型基地局装置は、筐体に固定されるガイド支持金具上で増幅器とコネクタ位置決めガイドとが一緒に摺動するモジュール取り付け部を設置する構成とした。これにより、筐体外部からモジュールの取り付けや取り外し作業が容易に行える。
【図面の簡単な説明】
【図１】  屋外小型基地局装置の原理図である。
【図２】  屋外小型基地局の筐体に放熱フィン、増幅器取り付け部及びユニット搭載シェルフが取り付けられる様子を示す図である。
【図３】  放熱フィンの正面図である。
【図４】  放熱フィンの平面図である。
【図５】  放熱フィンを取り外した受熱プレートを示す図である。
【図６】  コネクタ位置決めガイドの斜視図である。
【図７】  コネクタ位置決めガイドとガイド支持金具とからなる増幅器取り付け部の斜視図である。
【図８】  図７の斜視図をＸ方向からみた図である。
【図９】  図７の斜視図をＹ方向からみた図である。
【図１０】  増幅器を増幅器取り付け部に取り付ける場合の図である。
【図１１】  増幅器を屋外小型基地局の筐体へ取り付ける様子を示す図である。
【符号の説明】
１１  螺旋状の放熱フィン
１３  放熱フィンカバー
４０  モジュール
４３  通常の放熱用フィン
５０  ユニット搭載シェルフ
５５ａ〜５５ｎ  プリント板ユニット
６０  筐体
【図１】
0003642627.tif 000002
【図２】
0003642627.tif 000003
【図３】
0003642627.tif 000004
【図４】
0003642627.tif 000005
【図５】
0003642627.tif 000006
【図６】
0003642627.tif 000007
【図７】
0003642627.tif 000008
【図８】
0003642627.tif 000009
【図９】
0003642627.tif 000010
【図１０】
0003642627.tif 000011
【図１１】
0003642627.tif 000012